(57)【特許請求の範囲】
【請求項１】
単一の振動板を有する動電型ドライバーユニットのボイスコイルボビンに複数のボイスコイルを装置したスピーカシステムであって、複数装置されているボイスコイルのうち第一ボイスコイルで振動板を駆動し、他のボイスコイルを待機状態として、第一ボイスコイルに異常が発生した時に、他のボイスコイルに切り替える手段を有することを特徴とするスピーカシステム。
【請求項２】
振動板を第一ボイスコイルで駆動し、動作中に第一ボイスコイルが断線したときに駆動側の装置の検知システムにより断線を検知して、他のボイスコイルに切り替える手段を有することを特徴とする請求項１記載のスピーカシステム。
【請求項３】
増幅装置の出力を複数のボイスコイルに接続することを特徴とする請求項１記載のスピーカシステム。
【請求項４】
増幅装置の出力を複数のボイスコイルに直列に接続し、一つのボイスコイルが切断したときに、他のボイスコイルに切り替える手段を有することを特徴とする請求項１記載のスピーカシステム。
【請求項５】
複数のボイスコイルの各々に独立して増幅装置を接続することを特徴とする請求項１記載のスピーカシステム
【請求項６】
複数装置されているボイスコイルのうち第一ボイスコイルを増幅装置に接続し、他のボイスコイルを第一ボイスコイルの温度検知手段として用いて、ボイスコイルの温度上昇に見合う帰還制御を増幅装置に行うことができることを特徴とする請求項１記載のスピーカシステム。
【請求項７】
温度検知結果を温度表示あるいは危険表示として表示できる表示手段を有することを特徴とする請求項６記載のスピーカシステム。
【請求項８】
複数装置されているボイスコイルのうち第一ボイスコイルを増幅装置に接続し、他のボイスコイルを第一ボイスコイルの温度検知手段として用いて、第一ボイスコイルの温度が上昇したら、他のボイスコイルが駆動ボイスコイルとして動作することを特徴とする請求項１記載のスピーカシステム。
【請求項９】
スピーカの増幅装置とスピーカの間に抵抗を装置し、前記抵抗からスピーカに入力した電力を時間単位で測定して、電力と時間の積からスピーカの温度上昇を検知し、スピーカの負荷状態を推定する手段を有することを特徴とする請求項１記載のスピーカシステム。
【請求項１０】
増幅装置の出力を複数のボイスコイルに接続し、これらのボイスコイルを定期的に切り替える手段を有することを特徴とする請求項１記載のスピーカシステム。
【請求項１１】
複数のボイスコイルを並列又は直列にボイスコイルボビンに装置することによって、複数のインピーダンスを持つことを特徴とする請求項１記載のスピーカシステム。
【請求項１２】
スピーカ内の振動板の前面にあるイコライザーに温度センサーを装置し、この温度センサーによってスピーカの温度をリアルタイムに検知することを特徴とする請求項１記載のスピーカシステム。
【発明の詳細な説明】
【０００１】
【発明の属する技術分野】
本発明は、広域拡声に用いられる通称トランペット型スピーカのスピーカシステムに係わり、特に振動板を駆動するボイスコイルを複数に独立させたスピーカシステムに関するものである。
【０００２】
【従来技術】
従来、この種のトランペット型スピーカを用いたスピーカシステムは競技場、学校、地域非常放送、選挙用車載放送等に広く普及し使用されている。このスピーカシステムは強力なドライバユニットと効率のよいトランペット型ホーンにより明瞭な高音圧を実現している。
【０００３】
【発明が解決しようとする課題】
しかしながら、前記した従来のスピーカシステムは拡声範囲を広く広げたいとする使用者の操作によりスピーカに過入力が入りボイスコイルを損傷する、あるいは過入力によるボイスコイルの温度上昇によりボイスコイルが振動板から遊離する等の事故を発生する問題点があった。
【０００４】
本発明は、かかる従来技術の問題点を解消するためになされたものであって、その目的は、広域拡声に用いられるトランペット型スピーカのドライバユニットの過酷な条件による異常発生時でも最適な条件で安定使用できるスピーカシステムを提供することにある。
【０００５】
【課題を解決するための手段】
本発明者は前記目的を達成するために鋭意検討した結果、従来のボイスコイルに加えてさらに異常発生時用のボイスコイルを設けることによって前記目的を達成できること等を見出し、本発明の完成に至った。
【０００６】
即ち、本発明は単一の振動板を有する動電型ドライバーユニットのボイスコイルボビンに複数のボイスコイルを装置したスピーカシステムであって、複数装置されているボイスコイルのうち第一ボイスコイルで振動板を駆動し、他のボイスコイルを待機状態として、第一ボイスコイルに異常が発生した時に、他のボイスコイルに切り替える手段を有することを特徴とするスピーカシステムである。
【０００７】
本発明のスピーカシステムの好ましい態様では、振動板を第一ボイスコイルで駆動し、動作中に第一ボイスコイルが断線したときに駆動側の装置の検知システムにより断線を検知して、他のボイスコイルに切り替える手段を有する。
【０００８】
本発明のスピーカシステムの好ましい態様では、増幅装置の出力を複数のボイスコイルに接続する。
【０００９】
本発明のスピーカシステムの好ましい態様では、増幅装置の出力を複数のボイスコイルに直列に接続し、一つのボイスコイルが切断したときに、他のボイスコイルに切り替える手段を有する。
【００１０】
本発明のスピーカシステムの好ましい態様では、複数のボイスコイルの各々に独立して増幅装置を接続する。
【００１１】
本発明のスピーカシステムの好ましい態様では、複数装置されているボイスコイルのうち第一ボイスコイルを増幅装置に接続し、他のボイスコイルを第一ボイスコイルの温度検知手段として用いて、ボイスコイルの温度上昇に見合う帰還制御を増幅装置に行うことができ、さらに温度検知結果を温度表示あるいは危険表示として表示できる表示手段を有する。
【００１２】
本発明のスピーカシステムの好ましい態様では、複数装置されているボイスコイルのうち第一ボイスコイルを増幅装置に接続し、他のボイスコイルを第一ボイスコイルの温度検知手段として用いて、第一ボイスコイルの温度が上昇したら、他のボイスコイルが駆動ボイスコイルとして動作する。
【００１３】
本発明のスピーカシステムの好ましい態様では、スピーカの増幅装置とスピーカの間に抵抗を装置し、前記抵抗からスピーカに入力した電力を時間単位で測定して、電力と時間の積からスピーカの温度上昇を検知し、スピーカの負荷状態を推定する手段を有する。
【００１４】
本発明のスピーカシステムの好ましい態様では、増幅装置の出力を複数のボイスコイルに接続し、これらのボイスコイルを定期的に切り替える手段を有する。
【００１５】
本発明のスピーカシステムの好ましい態様では、複数のボイスコイルを並列又は直列にボイスコイルボビンに装置することによって、複数のインピーダンスを持つ。
【００１６】
本発明のスピーカシステムの好ましい態様では、スピーカ内の振動板の前面にあるイコライザーに温度センサーを装置し、この温度センサーによってスピーカの温度をリアルタイムに検知する。
【００１７】
本発明のスピーカシステムは、上述のようにスピーカドライバーにボイスコイルを複数装置しているので、拡声操作者が誤ってスピーカの過大な電力を入力したり、長時間の動作でボイスコイルが加熱しても事故を未然に最小限にすることができる。
【００１８】
【発明の実施の形態】
本発明のスピーカシステムを図面を参照しながら以下詳細に説明するが、本発明はこれらに限定されるものではない。
【００１９】
図１（ａ）はトランペットスピーカのドライバユニットとして使用されている代表的な構造例を示すもので、ヨーク１０１にマグネット１０２、センターポール１０６、トッププレート１０５を組み込み、振動板１１０にボイスコイル１０４を装置し、前記ボイスコイル１０４を磁気回路に装置してイコライザー１０９とスロート１０７を持ったドライバスロート１１６に防塵ネット１０８を装置し、ヨーク１０１とドライバスロート１１６とをねじ１２０で固定した構造で一体としたものである。
振動板１１０の構造を図１（ｂ）の振動板斜視図１１４でより詳細に示すと、振動板１１０はボイスコイルボビン１１９にボイスコイル１１２を装置し、ボイスコイル１１２のリード線１１３、１１５を装置し、前面を丸く構成した振動部１１１と固定部１１７で構成されている。
【００２０】
増幅装置からの音響出力をボイスコイル１０４に印加すると、強力なマグネット１０２の磁場とボイスコイル１０４の作る磁場との干渉により振動板１１０が前後に振動し、イコライザー１０９により音響補正され、スロート１０７を介してトランペットホーンに音響振動として出力し、増幅装置に入力した音響入力を拡声する。
【００２１】
拡声装置からの入力が過大であると、図１（ｂ）に示すボイスコイルボビン１１９に装置したボイスコイル１１２が切断したり、ボイスコイル１１２をボイスコイルボビン１１９に固定する接着材が遊離したりして、使用中に音が出なくなることがある。
【００２２】
従来のスピーカシステムのボイスコイルは図２に示すように振動板２０１とボイスコイル２０２の単巻き構造であり、振動板２０１のボイスコイルボビン２０３にボイスコイル２０２をスピーカの出力インピーダンスに適合したインピーダンスとして通常使用される２−１６Ωからインピーダンスを特定して巻くことで、拡声装置と整合させ、拡声装置からの出力で振動させる。
【００２３】
しかし、拡声用途として、通常使用している時から、使用環境の暗騒音が高まったりした時にスペック以上の通常では考えられないパワーが連続してスピーカに入力されることがある。すなわち、スピーカのボイスコイルに過度の負担がかかり、断線その他の事故が発生することがある。
【００２４】
一方、本発明のスピーカシステムはかかる問題を解消するために、図３に示すように振動板３０１のボイスコイルボビン３０４に装置する第一ボイスコイル３０２に対して、さらに第二ボイスコイル３０３を装置した振動板３０１を構成してスピーカドライバを完成させたものである。なお、第一ボイスコイルと第二ボイスコイルの巻き方に関しては、拡声用途や使用目的により従来公知の方法を適宜採用することができ、例えば第一ボイスコイル３０２と第二ボイスコイル３０３を重ね巻きにする方法、あるいは複数のボイスコイルをサイドバイサイドで平行巻きにする方法を採用することができる。
【００２５】
以上のように装置することで、第一ボイスコイル３０２を拡声用途として使用した場合に、前述の状況の過入力などで、ボイスコイルが切断したり、動作しなくなったときに、第二ボイスコイル３０３に接続を変更して拡声動作を継続することができる。
【００２６】
また、第一ボイスコイル３０２と第二ボイスコイル３０３を並列使用や直列使用したり、あるいは第二のボイスコイル３０３を検知用途に使用して事前に事故が発生しないようにする等の応用により、スピーカとしての機能を過入力状態であっても継続して使用できるスピーカシステムを構築することができる。
【００２７】
本発明のスピーカシステムは、振動板を第一ボイスコイルで駆動し、第一ボイスコイルが動作中に断線したときに、駆動側の装置の検知システムにより断線を検知して、第二ボイスコイル等の他のボイスコイルに切り替える手段を有することができる。例えば、振動板に複数のボイスコイルを装置して拡声装置を駆動するときに、図４に示すように入力４０１を増幅回路４０２に接続し、増幅回路４０２の出力にボイスコイルの異常検知４０３を装置し、前記出力に第一ボイスコイル４０７と第二ボイスコイル４０８の何れかの使用を選択できる切替４０６を装置し、前記出力に第一ボイスコイル４０７と第二ボイスコイル４０８を接続する。また、異常検知４０３の出力はスイッチ制御４０４に接続し、切替４０６を制御する。
【００２８】
異常検知４０３は増幅回路の出力側に装置されているので、スピーカが切断され、スピーカの負荷がオープンになれば、通常の負荷状態に比較すると、増幅回路４０２の出力端子は負荷がオープンになり、出力電流が流れなくなるという異常を、異常検知４０３で認識することができる。反対に、第一ボイスコイル４０７が短絡すれば、増幅回路４０２の出力電流は極端に上がるので、異常検知４０３は第一ボイスコイル４０７に異常状態が発生したことを認識する。
【００２９】
異常検知４０３が電流を検知する方式で第一ボイスコイル４０７の断線を常時監視している場合、過入力が連続して第一ボイスコイル４０７に入力してボイスコイルが切断すると、増幅回路４０２のボイスコイルを駆動する電流が第一ボイスコイル４０７に流れないため、異常検知４０３は第一ボイスコイル４０７が切断したと判断して、異常検知４０３は切替信号をスイッチ制御４０４に出力して、第二ボイスコイル４０８に切り替える信号を切替４０６に出力し、第一ボイスコイル４０７から第二ボイスコイル４０８に切り替える動作で、スピーカとしては連続した動作を可能にする。
【００３０】
また、第一ボイスコイル４０７が短絡した状態になれば、通常状態に比較して過大な電流が異常検知４０３に流れるため、第一ボイスコイル４０７の短絡異常を検知できる。
【００３１】
以上のようにボイスコイルの断線や短絡の異常を検知した異常検知４０３は検知データをスイッチ制御４０４に入力して第一ボイスコイル４０７から第二ボイスコイル４０８への切り替え動作を切替４０６に行わせる。同様に、初期に第二ボイスコイル４０８を駆動させていて、第二ボイスコイルの切断や短絡の異常が発生したときは、第二ボイスコイル４０８から第一ボイスコイル４０７に切り替える動作を行う。また、３個以上の複数のボイスコイルを装置しているときは、同様の方法で次々にボイスコイルを切り替えて、スピーカーを連続動作させる構造とすることができる。
【００３２】
以上のように振動板４０９に複数のボイスコイルを装置しておけば、過入力や過酷な連続使用で故障が発生したときでも異常検知４０３の検知結果でボイスコイルを次々に切り替えて使用することができるので、スピーカシステムの耐久性を向上させることができる。
【００３３】
本発明のスピーカシステムは、図５のように増幅装置の出力を複数のボイスコイル（図では二つ）に接続することができる。
図５（ａ）は、入力５０１を増幅回路５０２に接続し、前記出力を第一ボイスコイル５０３と第二ボイスコイル５０４に直列に接続し、振動板５０５を振動させて拡声する例であり、図５（ｂ）は、入力５０６を増幅回路５０７に接続し、前記出力を第一ボイスコイル５０８と第二ボイスコイル５０９に並列に接続し、振動板５１０を振動させて拡声する例である。
【００３４】
この場合、振動板５０５に装置した第一ボイスコイル５０３と第二ボイスコイル５０４がそれぞれ８Ωであれば、図５（ａ）のように直列接続で１６Ωの増幅回路５０２に接続することができる。
振動板５１０に装置した第一ボイスコイル５０８と第二ボイスコイル５０９がそれぞれ８Ωであれば、図５（ｂ）のように並列接続で４Ωの増幅装置に対応することができる。
【００３５】
以上のように、スピーカと増幅装置のインピーダンスを複数のボイスコイルインピーダンスで調整でき、また第一ボイスコイルと第二ボイスコイルを独立したボイスコイルとして、ボイスコイルの外部接続端子を装置することで、スピーカを設置する現場の工事にフレキシブルに対応できるスピーカシステムとすることができる。
【００３６】
本発明のスピーカシステムは、増幅装置の出力を複数のボイスコイルに直列に接続し、一つのボイスコイルが切断したときに他のボイスコイルに切り替える手段を有することができる。
例えば図６のように音声の入力６０１を増幅回路６０２に入力し、前記出力を第一ボイスコイル６０７と第二ボイスコイル６０６に直列接続する。検知６０３は増幅回路６０２の出力に接続し、前記検知６０３の出力を切替制御６０４に接続し、その出力を切替回路６０５に接続し、前記切替回路６０５がスピーカの切替を行う。
【００３７】
振動板６０８に装置した第一ボイスコイル６０７と第二ボイスコイル６０６を増幅装置から直列接続として使用し、第一或いは第二のボイスコイルが切断すると、増幅回路は開放状態となるので、増幅回路６０２の出力電圧が上昇する。
切替回路６０５のスイッチポジションを中立としておき、前記電圧を検知した場合は、第一ボイスコイル６０７又は第二ボイスコイル６０６に切り替えて、増幅回路の出力電圧がおおよそ２分の１に下がるか又は大幅に下がれば、切替回路６０５のスイッチポジションが正常に動作しているボイスコイルに接続したことになり、切替回路６０５が何れかのポジションに入ったときに、増幅回路６０２の電圧が下がらなければ、切断したボイスコイルに接続したと検知して、他のポジションに切り替えて正常に動作するボイスコイルを増幅回路６０２の負荷として接続するようにする。
【００３８】
本発明のスピーカシステムは、複数のボイスコイルの各々に独立して増幅装置を接続することができる。例えば図７のように音声の入力７０１より前置増幅７０２に接続し、前記出力を増幅回路７０３と増幅回路７０４に接続し、前記出力のそれぞれに第一ボイスコイル７０５と第二ボイスコイル７０６を接続して駆動し、振動板７０７を振動させて拡声する。この場合、音声信号の入力７０１は前置増幅７０２から同位相・同レベルで出力され、増幅回路７０３、増幅回路７０４よりそれぞれ第一ボイスコイル７０５、第二ボイスコイル７０６に出力される。
【００３９】
以上のように構成すると、異なったボイスコイルで振動板７０７を駆動することができ、同位相・同出力であれば、振動板の駆動力は一つのボイスコイルに２倍の入力を印加したのと同じレベルになり、過入力で第一又は第二のボイスコイルが切断しても、スピーカーからの音圧レベルは低下するが、何れかのボイスコイルが動作しているので拡声動作を継続することができる。
【００４０】
本発明のスピーカシステムは、複数装置されているボイスコイルのうち第一ボイスコイルを増幅装置に接続し、他のボイスコイルを第一ボイスコイルの温度検知手段として用いて、ボイスコイルの温度上昇に見合う帰還制御を増幅装置に行うことができる。
例えば図８（ａ）のように第一ボイスコイル８０５に通常通りの接続、すなわち、音声の入力８０１を前置増幅８０２及び増幅回路８０３で増幅し、第一ボイスコイル８０５へ供給し、振動板８０７を振動させて拡声する。
しかし、第一ボイスコイル８０５に過入力状態で連続動作させると、重ね巻きあるいは近接して装置している第二ボイスコイル８０６も第一ボイスコイル８０５に熱せられ、温度上昇する。
この場合、第二ボイスコイル８０６は温度検知用として温度検知８０４に接続し、温度検知結果を前置増幅８０２に接続して制御する。温度検知８０４は第一ボイスコイル８０５の温度上昇の表示を行う温度表示８１０に接続する。
【００４１】
温度検知８０４では、第二ボイスコイル８０６の抵抗に電流を流して、電流値の変化から第二ボイスコイル８０６の温度を知ることができる。ボイスコイルは一般的に銅を基材としているので、ほぼ銅の温度特性に近似し、図８（ｂ）の温度特性８０８に示すように、ボイスコイルの抵抗は温度の上昇に比例して上昇するため、ボイスコイル抵抗変化８０９から温度の検出を行うことができる。第二ボイスコイル８０６は第一ボイスコイル８０５に近接して装置しているので、同じような温度になる。
以上のようにして、第二ボイスコイル８０６の抵抗値を検出することから、第一ボイスコイル８０５の温度上昇が検知できる。
【００４２】
第二ボイスコイル８０６の抵抗変化を電流の変化で検知し、ボイスコイルが高温になり、これ以上過入力が連続すると危険なときは温度検知データから前置増幅８０２に対して、音声の入力８０１の利得を下げて第一ボイスコイル８０５への入力を制限して、第一ボイスコイル８０５への過入力を抑える。第一ボイスコイル８０５への過入力により危険な温度上昇が抑えられたときに、前置増幅８０２に対する制限を解除する。
以上のようにして第一ボイスコイル８０５への過入力を制御することで長時間安定した動作を実現できる。
【００４３】
本発明のスピーカシステムは、前述のように第二ボイスコイル８０６のボイスコイルの過入力により温度上昇するために発生するボイスコイルの抵抗値の変化を温度変化としてとらえるが、前記温度上昇がボイスコイル自身の断線や接着剤の劣化を生じる危険な状態であることを検知すると、温度検知８０４が温度表示又は危険表示を温度表示８１０で行う。前記表示は例えば音量の低下の原因も表示することができる。
また、温度表示８１０により温度や状態が表示されることから、操作者がその表示を見て音量を操作することにより適切な音量にしてドライバーユニットへの過入力を防ぐことができる。
【００４４】
本発明のスピーカシステムは、図９のようにスピーカの振動板９０８に装置した複数のボイスコイル（第一ボイスコイル９０６、第二ボイスコイル９０７）に出力回路９０５を接続している各スピーカ回線にスピーカのインピーダンスに対して無視できるほどの検知抵抗r ９０９および検知抵抗r ９１０  を装置し、音声の入力によりスピーカを動作させ、第一ボイスコイル９０６、第二ボイスコイル９０７に流入する一定時間当たりの電力を検知９０３と検知９０４に過入力の情報としてフィードバックし、前置増幅９０２を制御して入力９０１の音声の増幅度を低下させて第一ボイスコイル９０６及び第二ボイスコイル９０７への入力を電力消費として安全な水準まで下げることができる。この方法では、ボイスコイルへ流入する過入力を瞬時のピークで反応するのでなく、一定時間当たりの電力消費で危険度を検知してスピーカへの入力の制御をする。
【００４５】
本発明のスピーカシステムは、増幅装置の出力を複数のボイスコイルに接続し、ボイスコイルを定期的に切り替えてボイスコイルのストレスを以前より減少させることができる。
【００４６】
例えば図１０のように、スピーカを駆動する増幅回路１００２から切替１００６を介して第一ボイスコイル１００７と第二ボイスコイル１００８に接続し、切替１００６はタイマー１００４からの信号で、一定時間毎に切替１００６のスイッチを第一ボイスコイル１００７と第二ボイスコイル１００８に切り替える。
また、音声の入力１００１が定格以上で、明らかにボイスコイルに対して過負荷になると分かる入力の場合は過負荷検知１００３に通知し、タイマー１００４に対して、タイマー１００４の切替速度を以前より上げて、一定時間ごとのボイスコイルに対する負荷を軽くするように動作する。
【００４７】
以上のようにすることで、特定のボイスコイルが長時間の過入力状態でストレスを受けないで、休みながら対応することができるので、システムとして長時間の過入力に耐えられるスピーカシステムが構築できる。
【００４８】
本発明のスピーカシステムは、複数のボイスコイルを並列又は直列にボイスコイルボビンに装置することによって各種の入力インピーダンスに対応できるスピーカが実現できる。
例えば図１１のように、振動板１１０９に複数のボイスコイル、即ち第一ボイスコイル１１０５、第二ボイスコイル１１０６、第三ボイスコイル１１０７、第四ボイスコイル１１０８を装置し、前記ボイスコイルのインピーダンスをZ1  １００１、Z2  １１０２、Z3  １１０３、Z4  １１０４として振動板１１０９に装置する。
【００４９】
このとき、各ボイスコイルのインピーダンスをZ1,Z2,Z3,Z4,として、各インピーダンスを２Ωとした場合
Z1＋Z2＋Z3+Z4＝８Ω
Z1//Z2＋Z3//Z4＝２Ω    （//は並列を意味する）
Z1＋Z２＝４Ω
以上のように接続の方法によって各種のインピーダンスに対応できるスピーカが実現できる。なお、必要により複数のボイスコイルのうち一つを温度検知に使用した構成としても良い。
【００５０】
本発明のスピーカシステムは、スピーカ内の振動板の前面にあるイコライザーに温度センサーを装置し、この温度センサーによってスピーカの温度をリアルタイムに検知することができる。
例えば図１２のように音声を入力１２０１と前置増幅１２０２に入力し、出力１２０３と出力１２０４に接続し、各出力を第一ボイスコイル１２０５と第二ボイスコイル１２０６に接続し、これらのボイスコイルで振動板１２０７を振動させ、振動板１２０７の音響補正をするイコライザー１２０８の一部に温度センサー１２０９を装置し、温度センサー１２０９出力を温度検知１２１０によって電気信号に変えて前置増幅１２０２に入力し、スピーカの温度上昇によりスピーカの入力の制御を行う。また、センサー位置はイコライザーに限らず、ボイスコイルの温度を感知できる適当な位置ならどこに設置しても良い。
【００５１】
スピーカーシステムは前記した拡声用途から長時間の過入力動作あるいは短時間で定格を遥かに超える音声の入力により、ボイスコイルの温度上昇で断線等の事故が発生することがある。
そのために、振動板の前面に装置した温度センサー１２０９の温度の測定により、スピーカドライバ内の温度からボイスコイル温度を予測し、温度検知１２１０に予測係数でボイスコイルの温度に補正して、危険な温度上昇がボイスコイルに発生していると予測した場合は前置増幅１２０２の増幅度を強制的にレベルを低下させてボイスコイルの温度を下げ、断線等の危険を事前に回避し、スピーカを動作させて、ボイスコイルが安全な温度状態になった温度検知１２１０の結果から判断して、前置増幅１２０２の利得を従来の状態に戻して拡声動作を行う。
【００５２】
【発明の効果】
以上説明したように、広域拡声を目的とするトランペットスピーカのドライバユニットには使用環境から過入力が印加され、過酷な使用条件となるが、本発明のスピーカーシステムによれば、振動板を駆動するボイスコイルを複数用意して各種の方法で制御を行っているため、ドライバユニットの寿命を延ばし、より安定した拡声システムを供給することができる。
【図面の簡単な説明】
【図１】（ａ）基本的なスピーカドライバ構造の説明図
（ｂ）振動板の斜視図
【図２】従来のボイスコイルの設置例の説明図
【図３】本発明のボイスコイルの装置例の説明図
【図４】本発明のスピーカシステムの装置例の説明図
【図５】（ａ）本発明のスピーカシステムの装置例（ボイスコイルを増幅回路に直列接続）の説明図
（ｂ）本発明のスピーカシステムの装置例（ボイスコイルを増幅回路に並列接続）の説明図
【図６】本発明のスピーカシステムの装置例の説明図
【図７】本発明のスピーカシステムの装置例の説明図
【図８】（ａ）本発明のスピーカシステムの装置例の説明図
（ｂ）ボイスコイルの抵抗の温度特性のグラフ
【図９】本発明のスピーカシステムの装置例の説明図
【図１０】本発明のスピーカシステムの装置例の説明図
【図１１】本発明のスピーカシステムの装置例の説明図
【図１２】本発明のスピーカシステムの装置例の説明図
【符号の説明】
１０１．ヨーク
１０２．マグネット
１０４．ボイスコイル
１０５．トッププレート
１０６．センターポール
１０７．スロート
１０８．防塵ネット
１０９．イコライザー
１１０．振動板
１１１．振動部
１１２．ボイスコイル
１１３．リード線
１１４．振動板斜視図
１１５．リード線
１１６．ドライバスロート
１１７．固定部
１１８．ボイスコイルパッキン
１１９．ボイスコイルボビン
１２０．ねじ
２０１．振動板
２０２．ボイスコイル
２０３．ボイスコイルボビン
３０１．振動板
３０２．第一ボイスコイル
３０３．第二ボイスコイル
３０４．ボイスコイルボビン
４０１．入力
４０２．増幅回路
４０３．異常検知
４０４．スイッチ制御
４０６．切替
４０７．第一ボイスコイル
４０８．第二ボイスコイル
４０９．振動板
５０１．入力
５０２．増幅回路
５０３．第一ボイスコイル
５０４．第二ボイスコイル
５０５．振動板
５０６．入力
５０７．増幅回路
５０８．第一ボイスコイル
５０９．第二ボイスコイル
５１０．振動板
６０１．入力
６０２．増幅回路
６０３．検知
６０４．切替制御
６０５．切替回路
６０６．第二ボイスコイル
６０７．第一ボイスコイル
６０８．振動板
７０１．入力
７０２．前置増幅
７０３．増幅回路
７０４．増幅回路
７０５．第一ボイスコイル
７０６．第二ボイスコイル
７０７．振動板
８０１．入力
８０２．前置増幅
８０３．増幅回路
８０４．温度検知
８０５．第一ボイスコイル
８０６．第二ボイスコイル
８０７．振動板
８０８．温度特性
８０９．ボイスコイル抵抗変化
８１０．温度表示
９０１．入力
９０２．前置増幅
９０３．検知
９０４．検知
９０５．出力回路
９０６．第一ボイスコイル
９０７．第二ボイスコイル
９０８．振動板
９０９．検知抵抗ｒ
９１０．検知抵抗ｒ
１００１．入力
１００２．増幅回路
１００３．過負荷検知
１００４．タイマー
１００５．切替制御
１００６．切替
１００７．第一ボイスコイル
１００８．第二ボイスコイル
１００９．振動板
１１０１．Ｚ１
１１０２．Ｚ２
１１０３．Ｚ３
１１０４．Ｚ４
１１０５．第一ボイスコイル
１１０６．第二ボイスコイル
１１０７．第三ボイスコイル
１１０８．第四ボイスコイル
１１０９．振動板
１２０１．入力
１２０２．前置増幅
１２０３．出力
１２０４．出力
１２０５．第一ボイスコイル
１２０６．第二ボイスコイル
１２０７．振動板
１２０８．イコライザー
１２０９．温度センサー
１２１０．温度検知
【図１】
0004279962.tif 000002
【図２】
0004279962.tif 000003
【図３】
0004279962.tif 000004
【図４】
0004279962.tif 000005
【図５】
0004279962.tif 000006
【図６】
0004279962.tif 000007
【図７】
0004279962.tif 000008
【図８】
0004279962.tif 000009
【図９】
0004279962.tif 000010
【図１０】
0004279962.tif 000011
【図１１】
0004279962.tif 000012
【図１２】
0004279962.tif 000013